(57)【要約】      （修正有）【課題】起動が容易であり、不注意で針が刺さることによる損傷から使用者を充分に保護し、そして製造が経済的である針アセンブリを提供すること。【解決手段】ハウジング１０２；該ハウジングから遠位に延びる針；少なくとも部分的に該ハウジング内に配置され、該針の周りで遠位に移動するように構成されたスライド部材１２０；該ハウジングに支持される少なくとも１つの起動部材であって、該ハウジングに固定された近位端、該スライド部材の遠位への移動を妨げる遠位端、および支点を有する、少なくとも１つの起動部材；該ハウジング内に配置された、該スライド部材を該針に沿って遠位に進めるための付勢部材１０５；ならびに該スライド部材に作動可能に接続され、該針の遠位端を収容するように構成されている、カバー部材１３０、を備え、該起動部材の起動が、該起動部材の遠位端を旋回させて該スライド部材の遠位への移動を容易にする、安全針アセンブリ。【選択図】図２
2009142658.tif 000002
【特許請求の範囲】
【請求項１】
安全針アセンブリであって、
ハウジング；
該ハウジングから遠位に延びる針；
少なくとも部分的に該ハウジング内に配置され、該針の周りで遠位に移動するように構成されたスライド部材；
該ハウジングに支持される少なくとも１つの起動部材であって、該ハウジングに固定された近位端、該スライド部材の遠位への移動を妨げる遠位端、および中心に位置する支点を有する、少なくとも１つの起動部材；
該ハウジング内に配置された、該スライド部材を該針に沿って遠位に進めるための付勢部材；ならびに
該スライド部材に作動可能に接続されたカバー部材であって、該カバー部材は、該針の該遠位端を収容するように構成されている、カバー部材、
を備え、該起動部材の起動が、該起動部材の該遠位端を旋回させて該スライド部材の遠位への移動を容易にする、安全針アセンブリ。
【請求項２】
前記少なくとも１つの起動部材の前記遠位端が、前記スライド部材の遠位への移動を妨げるように構成された係合部材を備える、請求項１に記載のアセンブリ。
【請求項３】
前記少なくとも１つの起動部材が、使用者による作動可能な係合のための把持部分を備える、請求項１〜２のいずれか１項に記載のアセンブリ。
【請求項４】
前記把持部分が滑り止め表面を備える、請求項３に記載のアセンブリ。
【請求項５】
前記滑り止め表面がぎざぎざを備える、請求項４に記載のアセンブリ。
【請求項６】
前記滑り止め表面が隆起を備える、請求項４に記載のアセンブリ。
【請求項７】
前記滑り止め表面が溝を備える、請求項４に記載のアセンブリ。
【請求項８】
前記把持部分が前記支点より近位に位置し、そして前記係合部材が該支点より遠位に位置する、請求項３〜７のいずれか１項に記載のアセンブリ。
【請求項９】
前記スライド部材の遠位への移動を制限するための制限部材をさらに備える、請求項１〜８のいずれか１項に記載のアセンブリ。
【請求項１０】
前記制限部材が少なくとも１つのテザーを備える、請求項９に記載のアセンブリ。
【請求項１１】
前記制限部材が間隔を空けた第一のテザーおよび第二のテザーを備える、請求項９または１０に記載のアセンブリ。
【請求項１２】
前記少なくとも１つの起動部材が、１対の起動部材を備える、請求項１〜１１のいずれか１項に記載のアセンブリ。
【請求項１３】
前記起動部材が、正反対の位置で前記ハウジングに位置する、請求項１２に記載のアセンブリ。
【請求項１４】
前記ハウジングの近位端が、注射器を解放可能に係合するように構成されている、請求項１〜１３のいずれか１項に記載のアセンブリ。
【請求項１５】
前記ハウジングの前記近位端が、ルアー型コネクタを備える、請求項１〜１４のいずれか１項に記載のアセンブリ。
【発明の詳細な説明】
【技術分野】
【０００１】
本願は、２００７年１２月１４日に出願された米国仮特許出願番号６１／００７，６５７の利益および優先権を主張する。この米国仮特許出願の全内容は、本明細書中に参考として援用される。
【０００２】
本開示は、医療手順において使用するための安全針に関し、そしてより特定すると、本開示は、付勢された安全針アセンブリに関する。
【背景技術】
【０００３】
皮下針は、広範な分野（医学、科学、および獣医学が挙げられる）において、そして産業（例えば、生物工学、化学および薬学）において、使用されている。安全針は、これらの職業のうちの任意のものにおける誰もによって歓迎されるが、安全針は、健康管理職業において特に必要である。ＨＩＶおよび血清肝炎の専門職に関して、針が刺さることによる損傷は、生命を脅かす結果を有するので、健康管理作業者は、毎日この危険性とともに生活しなければならない。従来の安全針は、健康管理作業者が不注意で針が刺さることによる損傷から保護されるために開発されてきた。しかし、これらの安全針の費用、使用の容易さおよび有効性には、改善の余地が残っている。
【発明の開示】
【発明が解決しようとする課題】
【０００４】
従って、使用者により容易に起動され、不注意で針が刺さることによる損傷から使用者を充分に保護し、そして製造が経済的である針アセンブリを有することが有利である。
【課題を解決するための手段】
【０００５】
上記課題を解決するために、本発明は、例えば、以下を提供する：
（項目１）
安全針アセンブリであって、
ハウジング；
該ハウジングから遠位に延びる針；
少なくとも部分的に該ハウジング内に配置され、該針の周りで遠位に移動するように構成されたスライド部材；
該ハウジングに支持される少なくとも１つの起動部材であって、該ハウジングに固定された近位端、該スライド部材の遠位への移動を妨げる遠位端、および中心に位置する支点を有する、少なくとも１つの起動部材；
該ハウジング内に配置された、該スライド部材を該針に沿って遠位に進めるための付勢部材；ならびに
該スライド部材に作動可能に接続されたカバー部材であって、該カバー部材は、該針の該遠位端を収容するように構成されている、カバー部材、
を備え、該起動部材の起動が、該起動部材の該遠位端を旋回させて該スライド部材の遠位への移動を容易にする、安全針アセンブリ。
【０００６】
（項目２）
上記少なくとも１つの起動部材の上記遠位端が、上記スライド部材の遠位への移動を妨げるように構成された係合部材を備える、項目１に記載のアセンブリ。
【０００７】
（項目３）
上記少なくとも１つの起動部材が、使用者による作動可能な係合のための把持部分を備える、項目１〜２のいずれか１項に記載のアセンブリ。
【０００８】
（項目４）
上記把持部分が滑り止め表面を備える、項目３に記載のアセンブリ。
【０００９】
（項目５）
上記滑り止め表面がぎざぎざを備える、項目４に記載のアセンブリ。
【００１０】
（項目６）
上記滑り止め表面が隆起を備える、項目４に記載のアセンブリ。
【００１１】
（項目７）
上記滑り止め表面が溝を備える、項目４に記載のアセンブリ。
【００１２】
（項目８）
上記把持部分が上記支点より近位に位置し、そして上記係合部材が該支点より遠位に位置する、項目３〜７のいずれか１項に記載のアセンブリ。
【００１３】
（項目９）
上記スライド部材の遠位への移動を制限するための制限部材をさらに備える、項目１〜８のいずれか１項に記載のアセンブリ。
【００１４】
（項目１０）
上記制限部材が少なくとも１つのテザーを備える、項目９に記載のアセンブリ。
【００１５】
（項目１１）
上記制限部材が間隔を空けた第一のテザーおよび第二のテザーを備える、項目９または１０に記載のアセンブリ。
【００１６】
（項目１２）
上記少なくとも１つの起動部材が、１対の起動部材を備える、項目１〜１１のいずれか１項に記載のアセンブリ。
【００１７】
（項目１３）
上記起動部材が、正反対の位置で上記ハウジングに位置する、項目１２に記載のアセンブリ。
【００１８】
（項目１４）
上記ハウジングの近位端が、注射器を解放可能に係合するように構成されている、項目１〜１３のいずれか１項に記載のアセンブリ。
【００１９】
（項目１５）
上記ハウジングの上記近位端が、ルアー型コネクタを備える、項目１〜１４のいずれか１項に記載のアセンブリ。
【００２０】
安全針アセンブリが開示され、この安全針アセンブリは、ハウジング、このハウジングから遠位に延びる針、このハウジング内に位置してこの針の周りで遠位に移動するように構成されたスライド部材、および少なくとも１つの起動部材を備える。この起動部材は、このハウジングに支持され、そしてこのハウジングに固定された近位端、このスライド部材の遠位への移動を妨げる遠位端、および中心に位置する支点を有する。付勢部材が、このハウジング内に配置され、そしてこの針に沿って遠位にこのスライド部材を進める。カバー部材がこのスライド部材に作動可能に接続され、そしてこの針の遠位端を収容するように構成される。この起動部材は、この起動部材の起動がこの起動部材の遠位端を旋回させて、このスライド部材の遠位への移動を容易にするように構成される。
【００２１】
（要旨）
安全針アセンブリが開示され、この安全針アセンブリは、ハウジング、このハウジングから遠位に延びる針、このハウジング内に位置してこの針の周りで遠位に移動するように構成されたスライド部材、および少なくとも１つの起動部材を備える。この起動部材は、このハウジングに支持され、そしてこのハウジングに固定された近位端、このスライド部材の遠位への移動を妨げる遠位端、および中心に位置する支点を有する。付勢部材が、このハウジング内に配置され、そしてこの針に沿って遠位にこのスライド部材を進める。カバー部材がこのスライド部材に作動可能に接続され、そしてこの針の遠位端を収容するように構成される。この起動部材は、この起動部材の起動がこの起動部材の遠位端を旋回させて、このスライド部材の遠位への移動を容易にするように構成される。この少なくとも１つの起動部材の遠位端は、このスライド部材の遠位への動きを妨げるように構成された係合部材を備える。
【００２２】
１つの実施形態において、この少なくとも１つの起動部材は、使用者による作動可能な係合のための把持部分を備える。この把持部分は、ぎざぎざ、隆起、溝などの滑り止め表面を備え得る。
【００２３】
この把持部分は、この支点より近位に位置し、そしてこの係合部材は、この支点より遠位に位置する。
【００２４】
１つの実施形態において、このスライド部材の遠位への移動を制限するための制限部材が提供される。この制限部材は、少なくとも１つのテザーを備え得る。この少なくとも１つのテザーは、間隔を空けた第一のテザーおよび第二のテザーを備え得る。
【００２５】
１つの実施形態において、この少なくとも１つの起動部材は、１対の起動部材を備え、この１対の起動部材は、正反対の位置においてこのハウジングに位置する。
【００２６】
１つの実施形態において、このハウジングの近位端は、注射器を解放可能に係合するように構成される。このハウジングの近位端は、ルアー型コネクタを備え得る。
【発明の効果】
【００２７】
本発明により、使用者により容易に起動され、不注意で針が刺さることによる損傷から使用者を充分に保護し、そして製造が経済的である針アセンブリが提供される。
【発明を実施するための最良の形態】
【００２８】
添付の図面は、本明細書に組み込まれ、本明細書の一部を構成し、本開示の実施形態を説明し、そして上に与えられた本開示の一般的な説明および以下に与えられる実施形態の詳細な説明と一緒に、本開示の原理を説明する役に立つ。
【００２９】
（詳細な説明）
本開示は、付勢された解放機構を有する安全針アセンブリを提供する。最初に図１および図２を参照すると、本開示の安全針アセンブリが、安全針アセンブリ１００として一般的に示されている。安全針アセンブリ１００は、注射器５０と作動可能に接続するために構成される。以下でさらに詳細に議論されるように、安全針アセンブリ１００は、注射器５０から選択的に取り外し可能であるが、安全針アセンブリ１００は、注射器と一体的に形成されてもよいことが予測される。
【００３０】
図１および図２をなお参照すると、安全針アセンブリ１００は、ハウジング１０２、ハウジング１０２から遠位に延びる針１１５、針１１５に沿って遠位に移動するように構成されたスライド部材１２０、およびスライド部材１２０に作動可能に接続され、そして針１１５の尖った遠位端１１５ｂを収容するように構成されたカバー部材１３０を備える。
【００３１】
ハウジング１０２は、実質的に環状の本体を備え、この本体は、実質的に閉じた近位端１０２ａおよび実質的に開いた遠位端１０２ｂを有する。この環状本体は、空洞１０３（図３）を規定する。ハウジング１０２の近位端１０２ａは、注射器５０の遠位端５０ｂ（図４）と選択的に係合するために構成される。示されるように、注射器５０の遠位端５０ｂは、ルアー型のコネクタを規定し、このコネクタは、ハウジング１０２の近位端１０２ａに形成されたルアー型コネクタ１０４（図４）と解放可能に係合するように構成される。安全針アセンブリ１００と注射器５０とを接続するための代替の構成（例えば、摩擦ばめ、螺合）が企図されるか、または上記のように、安全針アセンブリ１００と注射器５０とを一体的に形成することが企図される。針１１５は、ハウジング１０２の中心ハブ部分１０４ａ（図４）に設置され、そして中心ハブ部分１０４ａからハウジング１０２の遠位端１０２ｂを通って遠位に延びる。ハウジング１０２の近位端１０２ａは、針１１５と注射器５０の注射器空洞５３（図３）とを流体接続するように構成される。第一の付勢部材１０５が、ハウジング１０２の空洞１０３内に配置され、そして針１１５の周りで遠位に延びる。１つの実施形態において、付勢部材１０５は、コイルばね１０６（図４）を備え得、このコイルばねは、ハウジング１０２の近位端１０２ａに隣接する近位端１０６ａ、およびスライド部材１２０に隣接する遠位端１０６ｂを有する。ばね１０６は、以下でさらに詳細に議論されるように、安全針アセンブリ１００が第一の位置または使用準備ができた位置にある場合に針１１５の周りで圧縮されて、安全針アセンブリ１００を第二の位置または作動位置に推進するように構成および配置される。
【００３２】
図３を参照すると、ハウジング１０２は、ハウジング１０２の空洞１０３内からスライド部材１２０を選択的に解放するための解放機構１１０を備える。解放機構１１０は、実質的に同一である第一のアーム１１２および第二のアーム１１４を備える。第一の起動部材またはアーム１１２および第二の起動部材またはアーム１１４は、ハウジング１０２の近位端１０２ａに片持ちされた様式で設置され、そしてこのハウジングの両側に沿って遠位に延びる。第一のアーム１１２および第二のアーム１１４の各々は、それぞれ、第一のヒンジ部分１１２ａ、１１４ａ、把持部分１１２ｂ、１１４ｂ、第二のヒンジ部分１１２ｃ、１１４ｃ、支点１１２ｄ、１１４ｄ、および保持部分１１２ｅ、１１４ｅを備える。把持部分１１２ｂ、１１４ｂは、それぞれその近位端で、第一のヒンジ部分１１２ａ、１１４ａと境界を接し、そしてそれぞれの遠位端で、第二のヒンジ部分１１２ｃ、１１４ｃと境界を接する。把持部分１１２ｂ、１１４ｂは、それぞれ支点１１２ｄ、１１４ｄによって、ハウジング１０２から間隔を空けた関係を維持される。把持部分１１２ｂ、１１４ｂは、使用者による作動可能な係合のために構成される。把持部分１１２ｂ、１１４ｂは、隆起、ぎざぎざ、ノブまたは他の任意の滑り止め構成を備え得る。保持部分１１２ｅ、１１４ｅは、支点１１２ｄ、１１４ｄから遠位に延び、そしてそれぞれ、横断して延びる係合部材１１２ｆ、１１４ｆを備える。２つのアームが図示されるが、以下でさらに詳細に議論されるように、１つ以上のアームが安全針アセンブリ１００を起動させるために提供され得ることが予測される。
【００３３】
第一の位置または非付勢位置において、第一のアーム１１２および第二のアーム１１４は、係合部材１１２ｆ、１１４ｆがハウジング１０２の遠位端１０２ｂを横切って延びるように構成される。以下でさらに詳細に議論されるように、この様式で、係合部材１１２ｆ、１１４ｆは、スライド部材１２０の遠位への移動を妨害するように配置され、これによって、スライド部材１２０をハウジング１０２の空洞１０３内に保持する。把持部分１１２ｂ、１１４ｂをハウジング１０２の方へと、矢印「Ａ」（図５）により示されるように接近させると、第一のアーム１１２および第二のアーム１１４が、それぞれ第一のヒンジ部分１１２ａおよび１１４ａにおいて曲がる。把持部分１１２ｂ、１１４ｂがハウジング１０２の方へと移動すると、支点１１２ｄ、１１４ｄがハウジング１０２に係合し、これによって、第一のアーム１１２および第二のアーム１１４を、それぞれ第二のヒンジ部分１１２ｃ、１１４ｃにおいて曲げる。第二のヒンジ部分１１２ｃ、１１４ｃの曲がりは、第一のアーム１１２および第二のアーム１１４が、それぞれ支点１１２ｄ、１１４ｄにおいて旋回することを可能にする。第一のアーム１１２および第二のアーム１１４がそれぞれ支点１１２ｄ、１１４ｄにおいて旋回すると、それぞれの保持部分１１２ｅ、１１４ｅがハウジング１０２から離れるように旋回する。保持部分１１２ｅ、１１４ｅが矢印「Ｂ」により示されるようにハウジング１０２から離れるように旋回すると、係合部材１１２ｆ、１１４ｆがハウジング１０２の遠位端１０２ｂを横切らなくなるように移動し、その結果、スライド部材１２０の遠位への移動がもはや妨げられない。
【００３４】
ここで図６を参照すると、スライド部材１２０は、実質的に環状の本体を有し、この本体は、ハウジング１０２の空洞１０３内に受容されるように構成される。スライド部材１２０は、針１１５をスライド可能に受容するように構成された開口部１２１を規定する近位端１２０ａ、および実質的に開いた遠位端１２０ｂを備える。近位端１２０ａは、ばね１０６の遠位端１０６ｂと係合するように構成される。付勢部材１２５は、スライド部材１２０に設置され、そしてスライド部材１２０から遠位に延びる。示されるように、付勢部材１２５は、板ばね１２６を備える。カバー部材１３０は、付勢部材１２０の遠位端に設置される。以下でさらに詳細に議論されるように、付勢部材１２５は、針１１５の尖った遠位端１１５ａを覆ってカバー部材１３０を回転させるように構成され、これによって、使用者が不注意で針で刺すことから保護する。
【００３５】
カバー部材１３０は、実質的に台形の部材を規定し、この台形の部材は、実質的に開いた近位端１３０ａおよび閉じた遠位端１３０ｂを有する。他の構成が予測される。カバー部材１３０は、針１１５の遠位端１１５ｂを受容するための空洞１３１をさらに規定する。カバー部材１３０の近位端１３０ａは、付勢部材１２５と作動可能に係合する。あるいは、付勢部材１２５は、カバー部材１３０と一体的に形成され得る。カバー部材１３０はまた、その長さに沿ってスロット１３２を規定する。スロット１３２は、針１１５をスライド可能に受容して、カバー部材１３０が針１１５の長さに沿ってスライドすることを可能にし得るように構成される。図４に図示されるように、付勢部材１２５は、カバー部材１３０を針１１５と係合させるように推進する。スロット１３２は、拡大された近位端１３２ａを備える。以下でさらに詳細に議論されるように、スロット１３２の拡大された近位端１３２ａは、カバー部材１３０が針１１５の遠位端１１５ｂに接近する際に、針１１５の遠位端１１５ｂがカバー部材１３０の空洞１３１内に受容されることを可能にする。
【００３６】
安全針アセンブリ１００は、スライド部材１２０が針１１５の遠位端１１５ａを越えて延びることを防止するための制限部材１４０をさらに備える。１つの実施形態において、制限部材１４０は、少なくとも１つのテザーを備え得る。示されるように、制限部材１４０は、第一のテザー１４１および第二のテザー１４２を備える。第一のテザー１４１の近位端１４１ａおよび第二のテザー１４２の近位端１４２ａは、横方向に間隔を空けた位置でハウジング１０２に固定され、一方で、第一のテザー１４１の遠位端１４１ｂおよび第二のテザー１４２の遠位端１４２ｂは、横方向に間隔を空けた位置でスライド部材１２０に固定される。第一のテザー１４１および第二のテザー１４２は、横方向に間隔を空けた位置でスライド部材１２０に固定され、スライド部材１２０が針１１５の周りで回転することを防止する。第一のテザー１４１および第二のテザー１４２は、カバー部材１３０が針１１５の遠位端１１５ｂを覆って配置される位置までスライド部材１２０が針１１５に沿って移動することを可能にするために充分な長さである。代替の実施形態において、制限手段１４０は、スリーブ、柔軟なメッシュ覆い、またはばね１０５の伸びを制限するための他の適切な手段を備え得ることが予測される。
【００３７】
ここで図３〜図６を参照しながら、安全針アセンブリ１００の作動が詳細に記載される。最初に、安全針アセンブリ１００は、第一の位置または使用準備ができた位置にある。スライド部材１２０は、針１１５の周りに受容され、そしてハウジング１０２の空洞１０３内に選択的に保持される。スライド部材１２０は、ばね１０５によって遠位に付勢される。第一のアーム１１２の係合部分１１２ｆおよび第二のアーム１１４の係合部分１１４ｆは、ハウジング１０２の遠位端１０２ｂに隣接して内向きに延び、スライド部材１２０をハウジング１０２の空洞１０３内に位置する収縮位置に保持する。この使用準備ができた位置において、第一のアーム１１２の把持部分１１２ｂおよび第二のアーム１１４の把持部分１１４ｂは、ハウジング１０２に対してほぼ平行に間隔を空ける。針１１５は、カバー部材１３０に形成されたスロット１３２を通して受容され、そして板ばね１２６は、カバー部材１３０を針１１５の方へと付勢するように配置される。
【００３８】
ここで図５を参照すると、第一のアーム１１２の把持部分１１２ｂおよび第二のアーム１１４の把持部分１１４ｂがハウジング１０２の方へと接近させられると、安全針アセンブリ１００が作動される。これは、代表的に、把持部分１１２ｂ、１１４ｂを親指と人差し指との間で握るかまたは挟むことによって、達成される。この様式で、安全針アセンブリは、片手で作動され得る。さらに、使用者により付与される力は、安全針アセンブリ１００の中心の方へと方向付けられるので、使用者の指が解放機構１１０から滑って離れる可能性が低下する。この構成はまた、針１１５が患者内に残っている間に、安全針アセンブリ１００の軸方向の移動（これは、脈管の損傷および／または患者の不快さを引き起こし得る）を付与することなく、使用者が解放機構１１０を作動させることを可能にする。
【００３９】
把持部分１１２ｂ、１１４ｂをハウジング１０２の方へと矢印「Ａ」により示される方向に近付けると、保持部分１１２ｅ、１１４ｅがハウジング１０２から離れるように、支点１１２ｄ、１１４ｄの周りで、矢印「Ｂ」により示される方向に旋回し、これによって、係合部材１１２ｆ、１１４ｆをハウジング１０２の遠位端１０２ｂを横断しないように引き込む。係合部材１１２ｆ、１１４の引き込みは、ハウジング１０２の空洞１０３内からのスライド部材１２０の解放を可能にする。ばね１０５の伸びは、スライド部材１２０を針１１５に沿って矢印「Ｃ」により示される方向に遠位に移動させる。テザー１４１、１４２は、ばね１０５が過剰に伸びることを防止し、スライド部材１２０の遠位への移動を制限する。カバー部材１３０もまた、スライド部材１２０とともに遠位に進められる。針１１５の遠位端１１５ｂがスロット１３２の近位端１３２ａを通過するまで、針１１５は、カバー部材１３０のスロット１３２内にある。一旦、針１１５の遠位端１１５ｂがカバー部材１３０のスロット１３２を越えて延びると、レバー１２６は、カバー部材１３０を針１１５の遠位端１１５ｂ上で回転させる（矢印「Ｄ」）。この様式で、針１１５の遠位端１１５ｂは、カバー部材１３０の空洞１３１内に受容される。カバー部材１３０は、カバー部材１３０を針１１５の遠位端１１５ｂ上に維持し、これによって、不注意でのこの針の露出を防止するためのタブ（図示せず）を備え得る。
【００４０】
ここで図７および図８を参照すると、本開示の代替の実施形態が、安全針アセンブリ２００、３００として一般的に示されている。安全針アセンブリ２００、３００は、安全針アセンブリ１００と実質的に類似であるので、これらの間の違いに関してのみ記載される。安全針アセンブリ２００は、解放機構２１０を備える。解放機構２１０は、第一のアーム２１２および第二のアーム２１４を備え、これらのアームの各々が、それぞれ把持部分１２１ｂおよび１２４ｂを有する。把持部分１２１ｂ、１２４ｂは、使用者による係合を容易にするための隆起２１３を備える。安全針アセンブリ３００もまた、第一のアーム３１２および第二のアーム３１４を有する解放機構３１０を備える。第一のアーム３１２の把持部分３１２ｂおよび第二のアーム３１４の把持部分３１４ｂは、使用者による係合を容易にするための歯またはノブ３１３を備える。種々の異なる表面構造を有する把持表面が、この安全針アセンブリの第一のアームおよび第二のアームの把持部分に提供されて、このアセンブリの起動の間の滑りを防止し得ることが予測される。
【００４１】
本開示の例示的な実施形態が添付の図面を参照しながら本明細書中に記載されたが、本開示はこれらの正確な実施形態に限定されないこと、ならびに種々の他の変更および改変が、これらの実施形態において、本開示の範囲または趣旨から逸脱することなく当業者によりなされ得ることが理解されるべきである。例えば、スライド部材の伸長を引き起こすための付勢部材は、弾性発泡材料または圧縮されるシリンダを備え得る。
【図面の簡単な説明】
【００４２】
【図１】図１は、第一の位置または使用準備ができた位置にあり、そして注射器に作動可能に接続されている、本開示の安全針アセンブリの１つの実施形態の斜視図である。
【図２】図２は、第二の位置または作動位置にある、図１の安全針アセンブリの拡大斜視図である。
【図３】図３は、図１の線３−３に沿った、第一の位置または使用準備ができた位置にある図１および図２の安全針アセンブリの断面頂面図である。
【図４】図４は、図１の線４−４に沿った、第一の位置または使用準備ができた位置にある図１〜図３の安全針アセンブリの拡大断面側面図である。
【図５】図５は、第二の位置または作動位置にある、図１および図２の安全針アセンブリの断面頂面図である。
【図６】図６は、第二の位置または作動位置にある、図１〜図５の安全針アセンブリの拡大断面側面図である。
【図７】図７は、第一の位置または使用準備ができた位置にある安全針アセンブリの代替の実施形態の拡大斜視図である。
【図８】図８は、第一の位置または使用準備ができた位置にある、安全針アセンブリの別の実施形態の拡大斜視図である。
【符号の説明】
【００４３】
１００  安全針アセンブリ
５０  注射器
５０ｂ  遠位端
５３  注射器空洞
１０２  ハウジング
１０２ａ  近位端
１０２ｂ  遠位端
１０３  空洞
１０５  付勢部材
１０６  コイルばね
１１５  針
１１５ｂ  遠位端
１２０  スライド部材
１３０  カバー部材
【図１】
2009142658.tif 000003
【図２】
2009142658.tif 000004
【図３】
2009142658.tif 000005
【図４】
2009142658.tif 000006
【図５】
2009142658.tif 000007
【図６】
2009142658.tif 000008
【図７】
2009142658.tif 000009
【図８】
2009142658.tif 000010